(57)【特許請求の範囲】
【請求項１】
２次元アンテナアレイを複数のサブアレイに分割することと、ここにおいて、前記複数のサブアレイの各々が、同じ数のアンテナ要素を備える、
前記２次元アンテナアレイを、エレベーションＣＳＩフィードバックを受信するための１次元垂直チャネル状態情報基準信号（ＣＳＩ−ＲＳ）ポートアレイと、アジマスＣＳＩフィードバックを受信するための１次元水平ＣＳＩ−ＲＳポートアレイとにマッピングすることと、ここにおいて、前記マッピングすることが、前記複数のサブアレイの各々中でイントラサブアレイアンテナアグリゲーションを適用することと、前記複数のサブアレイの間でインターサブアレイアンテナアグリゲーションを適用することとを含む、
前記１次元垂直ＣＳＩ−ＲＳポートアレイから１つまたは複数のエレベーションＣＳＩ−ＲＳを送信し、前記１次元水平ＣＳＩ−ＲＳポートアレイから１つまたは複数のアジマスＣＳＩ−ＲＳを送信することと
を備え、
前記イントラサブアレイアンテナアグリゲーションを前記適用することが、複数のアグリゲートされた垂直サブアレイを形成するために、前記複数のサブアレイの各々中の前記アンテナ要素のすべての行をアグリゲートすることと、複数のアグリゲートされた水平サブアレイを形成するために、前記複数のサブアレイの各々中の前記アンテナ要素のすべての列をアグリゲートすることとを含み、
前記インターサブアレイアンテナアグリゲーションを前記適用することが、前記１次元垂直ＣＳＩ−ＲＳポートアレイを形成するために、前記複数のアグリゲートされた垂直サブアレイをアグリゲートすることと、前記１次元水平ＣＳＩ−ＲＳポートアレイを形成するために、前記複数のアグリゲートされた水平サブアレイをアグリゲートすることとを含む、
ワイヤレス通信のための方法。
【請求項２】
２次元アンテナアレイを複数のサブアレイに分割することと、ここにおいて、前記複数のサブアレイの各々が、同じ数のアンテナ要素を備える、
前記２次元アンテナアレイを、エレベーションＣＳＩフィードバックを受信するための１次元垂直チャネル状態情報基準信号（ＣＳＩ−ＲＳ）ポートアレイと、アジマスＣＳＩフィードバックを受信するための１次元水平ＣＳＩ−ＲＳポートアレイとにマッピングすることと、ここにおいて、前記マッピングすることが、前記複数のサブアレイの各々中でイントラサブアレイアンテナアグリゲーションを適用することと、前記複数のサブアレイの間でインターサブアレイアンテナアグリゲーションを適用することとを含む、
前記１次元垂直ＣＳＩ−ＲＳポートアレイから１つまたは複数のエレベーションＣＳＩ−ＲＳを送信し、前記１次元水平ＣＳＩ−ＲＳポートアレイから１つまたは複数のアジマスＣＳＩ−ＲＳを送信することと
を備え、
前記イントラサブアレイアンテナアグリゲーションを前記適用することが、前記マッピングすることのためのイントラサブアレイアグリゲーション重みベクトルを利用することを含み、前記インターサブアレイアンテナアグリゲーションを前記適用することが、前記マッピングすることのためのインターサブアレイアグリゲーション重みベクトルを利用することを含み、前記イントラサブアレイアグリゲーション重みベクトルおよび前記インターサブアレイアグリゲーション重みベクトルは、セル固有および次元固有であり、
前記イントラサブアレイアンテナアグリゲーションを前記適用することが、複数のアグリゲートされた垂直サブアレイを形成するために、前記複数のサブアレイの各々中の前記アンテナ要素のすべての行をアグリゲートすることと、複数のアグリゲートされた水平サブアレイを形成するために、前記複数のサブアレイの各々中の前記アンテナ要素のすべての列をアグリゲートすることとを含み、
前記インターサブアレイアンテナアグリゲーションを前記適用することが、前記１次元垂直ＣＳＩ−ＲＳポートアレイを形成するために、前記複数のアグリゲートされた垂直サブアレイをアグリゲートすることと、前記１次元水平ＣＳＩ−ＲＳポートアレイを形成するために、前記複数のアグリゲートされた水平サブアレイをアグリゲートすることとを含む、
ワイヤレス通信のための方法。
【請求項３】
前記１次元垂直ＣＳＩ−ＲＳポートアレイが、ＭポートエレベーションＣＳＩフィードバックのためのＭポート交差偏波ＣＳＩ−ＲＳアレイを含み、前記１次元水平ＣＳＩ−ＲＳポートアレイが、ＮポートアジマスＣＳＩフィードバックのためのＮポート交差偏波ＣＳＩ−ＲＳアレイを含む、請求項１または請求項２に記載の方法。
【請求項４】
Ｍが、前記２次元アンテナアレイの列数または前記列数のサブセットを表し、Ｎが、前記２次元アンテナアレイの行数または前記行数のサブセットを表す、請求項３に記載の方法。
【請求項５】
前記２次元アンテナアレイのアンテナ要素の前記サブセットのための、前記エレベーションＣＳＩフィードバックのＣＳＩポートの数、および前記アジマスＣＳＩフィードバックのＣＳＩポートの数が、ユーザ機器（ＵＥ）の能力に基づいて決定される、請求項４に記載の方法。
【請求項６】
前記１次元垂直ＣＳＩ−ＲＳポートアレイに前記マッピングすることのための前記インターサブアレイアグリゲーション重みベクトルと、前記１次元水平ＣＳＩ−ＲＳポートアレイに前記マッピングすることのための前記インターサブアレイアグリゲーション重みベクトルとは、前記１次元垂直ＣＳＩ−ＲＳポートアレイのパターンと前記１次元水平ＣＳＩ−ＲＳポートアレイのパターンとが互いに相補的であるように選択される、請求項２に記載の方法。
【請求項７】
前記１次元垂直ＣＳＩ−ＲＳポートアレイと前記１次元水平ＣＳＩ−ＲＳポートアレイとに前記マッピングすることのための前記イントラサブアレイアグリゲーション重みベクトルおよび前記インターサブアレイアグリゲーション重みベクトルが、前記２次元アンテナアレイの列中の前記アンテナ要素の数、前記アンテナ要素間の間隔、ターゲットダウンチルト、およびエレベーション次元カバレージのうちの１つまたは複数に基づいて決定される、請求項２に記載の方法。
【請求項８】
１次元垂直チャネル状態情報基準信号（ＣＳＩ−ＲＳ）ポートアレイのためのエレベーションチャネル状態情報（ＣＳＩ）フィードバックを受信することと、
１次元水平ＣＳＩ−ＲＳポートアレイのためのアジマスＣＳＩフィードバックを受信することと、
受信されたエレベーションＣＳＩフィードバックおよびアジマスＣＳＩフィードバックに基づいて、前記１次元垂直ＣＳＩ−ＲＳポートアレイから、または前記１次元水平ＣＳＩ−ＲＳポートアレイからデータを送信することを決定するために、動的ポイント選択を利用することと
を備え、
データ送信のために、２次元アンテナアレイを前記１次元垂直ＣＳＩ−ＲＳポートアレイにマッピングするためのイントラサブアレイアグリゲーション重みベクトルおよびインターサブアレイアグリゲーション重みベクトルと、受信されたエレベーションＰＭＩを組み合わせることと、前記２次元アンテナアレイを前記１次元水平ＣＳＩ−ＲＳポートアレイにマッピングするための前記イントラサブアレイアグリゲーション重みベクトルおよび前記インターサブアレイアグリゲーション重みベクトルと、受信されたアジマスＰＭＩを組み合わせることとをさらに含み、前記イントラサブアレイアグリゲーション重みベクトルおよび前記インターサブアレイアグリゲーション重みベクトルは、セル固有および次元固有であり、前記イントラサブアレイアグリゲーション重みベクトルは、複数のアグリゲートされた垂直サブアレイを形成するために、前記２次元アンテナアレイの複数のサブアレイの各々中のアンテナ要素のすべての行をアグリゲートすることと、複数のアグリゲートされた水平サブアレイを形成するために、前記複数のサブアレイの各々中の前記アンテナ要素のすべての列をアグリゲートすることとを備えるイントラサブアレイアンテナアグリゲーションのために利用され、
前記インターサブアレイアグリゲーション重みベクトルは、前記１次元垂直ＣＳＩ−ＲＳポートアレイを形成するために、前記複数のアグリゲートされた垂直サブアレイをアグリゲートすることと、前記１次元水平ＣＳＩ−ＲＳポートアレイを形成するために、前記複数のアグリゲートされた水平サブアレイをアグリゲートすることとを備えるインターサブアレイアンテナアグリゲーションのために利用される、
ワイヤレス通信のための方法。
【請求項９】
前記エレベーションＣＳＩフィードバックが、エレベーションプリコーディングマトリックインジケータ（ＰＭＩ）、エレベーションランクインジケータ（ＲＩ）、およびエレベーションチャネル品質インジケータ（ＣＱＩ）のうちの１つまたは複数を含み、前記アジマスＣＳＩフィードバックが、アジマスプリコーディングマトリックインジケータ（ＰＭＩ）、アジマスランクインジケータ（ＲＩ）、およびアジマスチャネル品質インジケータ（ＣＱＩ）のうちの１つまたは複数を含む、請求項８に記載の方法。
【請求項１０】
前記利用することが、受信されたエレベーションＣＱＩおよびアジマスＣＱＩに基づく、請求項９に記載の方法。
【請求項１１】
２次元アンテナアレイを、１次元垂直チャネル状態情報基準信号（ＣＳＩ−ＲＳ）ポートアレイと、１次元水平ＣＳＩ−ＲＳポートアレイとにマッピングすることと、
アグリゲートされたアジマスＣＳＩフィードバックを受信することと、ここにおいて、前記アグリゲートされたアジマスＣＳＩフィードバックが、前記１次元垂直ＣＳＩ−ＲＳポートアレイと前記１次元水平ＣＳＩ−ＲＳポートアレイの両方に関連する、
を備え、
前記アグリゲートされたアジマスＣＳＩフィードバックが、基準広帯域垂直プリコーディングベクトルを含み、前記基準広帯域垂直プリコーディングベクトルに基づいて、前記マッピングすることのためのユーザ機器（ＵＥ）固有イントラサブアレイ重みベクトルとＵＥ固有インターサブアレイ重みベクトルとを生成することをさらに含み、
アグリゲートされたエレベーションＣＳＩフィードバックを受信することと、ここにおいて、前記アグリゲートされたエレベーションＣＳＩフィードバックが、エレベーションＣＳＩフィードバックおよび基準広帯域水平プリコーディングベクトルのうちの１つまたは複数を含む、
前記基準広帯域水平プリコーディングベクトルに基づいて、前記マッピングすることのためのユーザ機器（ＵＥ）固有イントラサブアレイ重みベクトルを生成することと、
前記ＵＥ固有イントラサブアレイ重みベクトルに基づいてマッピングされた前記１次元垂直ＣＳＩ−ＲＳポートアレイからデータを送信することと
をさらに含み、
前記アグリゲートされたエレベーションＣＳＩフィードバックと前記アグリゲートされたアジマスＣＳＩフィードバックの両方に基づいて、前記１次元垂直ＣＳＩ−ＲＳポートアレイから、または前記１次元水平ＣＳＩ−ＲＳポートアレイからデータを送信することを決定するために、動的ポイント選択を利用することをさらに含み、
前記ＵＥ固有イントラサブアレイ重みベクトルは、複数のアグリゲートされた垂直サブアレイを形成するために、前記２次元アンテナアレイの複数のサブアレイの各々中のアンテナ要素のすべての行をアグリゲートすることと、複数のアグリゲートされた水平サブアレイを形成するために、前記複数のサブアレイの各々中の前記アンテナ要素のすべての列をアグリゲートすることとを備えるイントラサブアレイアンテナアグリゲーションのために利用され、
前記ＵＥ固有インターサブアレイ重みベクトルは、前記１次元垂直ＣＳＩ−ＲＳポートアレイを形成するために、前記複数のアグリゲートされた垂直サブアレイをアグリゲートすることと、前記１次元水平ＣＳＩ−ＲＳポートアレイを形成するために、前記複数のアグリゲートされた水平サブアレイをアグリゲートすることとを備えるインターサブアレイアンテナアグリゲーションのために利用される、
ワイヤレス通信のための方法。
【請求項１２】
前記アグリゲートされたアジマスＣＳＩフィードバックが、アジマスプリコーディングマトリックインジケータ（ＰＭＩ）、アジマスランクインジケータ（ＲＩ）、アジマスチャネル品質インジケータ（ＣＱＩ）および前記基準広帯域垂直プリコーディングベクトルのうちの１つまたは複数を含む、請求項１１に記載の方法。
【請求項１３】
前記１次元垂直ＣＳＩ−ＲＳポートアレイの平均チャネル共分散マトリックに基づいて、前記基準広帯域垂直プリコーディングベクトルを決定することをさらに含む、請求項１２に記載の方法。
【請求項１４】
前記アグリゲートされたアジマスＣＳＩフィードバックが、前記基準広帯域垂直プリコーディングベクトルを使用してエレベーションビームフォーミング利得オフセットを加算することによって、前記１次元水平ＣＳＩ−ＲＳポートアレイから決定される、請求項１２に記載の方法。
【請求項１５】
前記アグリゲートされたアジマスＣＳＩフィードバックが、広帯域垂直ビームフォーミングとサブバンド水平ビームフォーミングとに関連する、請求項１１に記載の方法。
【請求項１６】
前記ＵＥ固有イントラサブアレイ重みベクトルと前記ＵＥ固有インターサブアレイ重みベクトルとに基づいてマッピングされた前記１次元水平ＣＳＩ−ＲＳポートアレイからデータを送信することをさらに含む、請求項１１に記載の方法。
【請求項１７】
２次元アンテナアレイを複数のサブアレイに分割するための手段と、ここにおいて、前記複数のサブアレイの各々が、同じ数のアンテナ要素を備える、
前記２次元アンテナアレイを、エレベーションＣＳＩフィードバックを受信するための１次元垂直チャネル状態情報基準信号（ＣＳＩ−ＲＳ）ポートアレイと、アジマスＣＳＩフィードバックを受信するための１次元水平ＣＳＩ−ＲＳポートアレイとにマッピングするための手段と、ここにおいて、マッピングするための前記手段が、前記複数のサブアレイの各々中でイントラサブアレイアンテナアグリゲーションを適用するための手段と、前記複数のサブアレイの間でインターサブアレイアンテナアグリゲーションを適用するための手段とを含む、
前記１次元垂直ＣＳＩ−ＲＳポートアレイから１つまたは複数のエレベーションＣＳＩ−ＲＳを送信し、前記１次元水平ＣＳＩ−ＲＳポートアレイから１つまたは複数のアジマスＣＳＩ−ＲＳを送信するための手段と
を備え、
前記イントラサブアレイアンテナアグリゲーションを適用するための前記手段が、複数のアグリゲートされた垂直サブアレイを形成するために、前記複数のサブアレイの各々中の前記アンテナ要素のすべての行をアグリゲートするための手段と、複数のアグリゲートされた水平サブアレイを形成するために、前記複数のサブアレイの各々中の前記アンテナ要素のすべての列をアグリゲートするための手段とを含み、
前記インターサブアレイアンテナアグリゲーションを適用するための前記手段が、前記１次元垂直ＣＳＩ−ＲＳポートアレイを形成するために、前記複数のアグリゲートされた垂直サブアレイをアグリゲートするための手段と、前記１次元水平ＣＳＩ−ＲＳポートアレイを形成するために、前記複数のアグリゲートされた水平サブアレイをアグリゲートするための手段とを含む、
ワイヤレス通信のための装置。
【請求項１８】
２次元アンテナアレイを複数のサブアレイに分割するための手段と、ここにおいて、前記複数のサブアレイの各々が、同じ数のアンテナ要素を備える、
前記２次元アンテナアレイを、エレベーションＣＳＩフィードバックを受信するための１次元垂直チャネル状態情報基準信号（ＣＳＩ−ＲＳ）ポートアレイと、アジマスＣＳＩフィードバックを受信するための１次元水平ＣＳＩ−ＲＳポートアレイとにマッピングするための手段と、ここにおいて、マッピングするための前記手段が、前記複数のサブアレイの各々中でイントラサブアレイアンテナアグリゲーションを適用するための手段と、前記複数のサブアレイの間でインターサブアレイアンテナアグリゲーションを適用するための手段とを含む、
前記１次元垂直ＣＳＩ−ＲＳポートアレイから１つまたは複数のエレベーションＣＳＩ−ＲＳを送信し、前記１次元水平ＣＳＩ−ＲＳポートアレイから１つまたは複数のアジマスＣＳＩ−ＲＳを送信するための手段と
を備え、
前記イントラサブアレイアンテナアグリゲーションを適用するための前記手段が、前記マッピングすることのためのイントラサブアレイアグリゲーション重みベクトルを利用するための手段を含み、前記インターサブアレイアンテナアグリゲーションを適用するための前記手段が、前記マッピングすることのためのインターサブアレイアグリゲーション重みベクトルを利用するための手段を含み、前記イントラサブアレイアグリゲーション重みベクトルおよび前記インターサブアレイアグリゲーション重みベクトルは、セル固有および次元固有であり、
前記イントラサブアレイアンテナアグリゲーションを適用するための前記手段が、複数のアグリゲートされた垂直サブアレイを形成するために、前記複数のサブアレイの各々中の前記アンテナ要素のすべての行をアグリゲートするための手段と、複数のアグリゲートされた水平サブアレイを形成するために、前記複数のサブアレイの各々中の前記アンテナ要素のすべての列をアグリゲートするための手段とを含み、
前記インターサブアレイアンテナアグリゲーションを適用するための前記手段が、前記１次元垂直ＣＳＩ−ＲＳポートアレイを形成するために、前記複数のアグリゲートされた垂直サブアレイをアグリゲートするための手段と、前記１次元水平ＣＳＩ−ＲＳポートアレイを形成するために、前記複数のアグリゲートされた水平サブアレイをアグリゲートするための手段とを含む、
ワイヤレス通信のための装置。
【請求項１９】
前記１次元垂直ＣＳＩ−ＲＳポートアレイが、ＭポートエレベーションＣＳＩフィードバックのためのＭポート交差偏波ＣＳＩ−ＲＳアレイを含み、ここにおいて、前記１次元水平ＣＳＩ−ＲＳポートアレイが、ＮポートアジマスＣＳＩフィードバックのためのＮポート交差偏波ＣＳＩ−ＲＳアレイを含み、ここにおいて、Ｍが、前記２次元アンテナアレイの列数または前記列数のサブセットを表し、Ｎが、前記２次元アンテナアレイの行数または前記行数のサブセットを表す、請求項１７または請求項１８に記載の装置。
【請求項２０】
前記２次元アンテナアレイのアンテナ要素の前記サブセットのための、前記エレベーションＣＳＩフィードバックのＣＳＩポートの数、および前記アジマスＣＳＩフィードバックのＣＳＩポートの数が、ユーザ機器（ＵＥ）の能力に基づいて決定される、請求項１９に記載の装置。
【請求項２１】
前記１次元垂直ＣＳＩ−ＲＳポートアレイにマッピングするための前記手段のための前記インターサブアレイアグリゲーション重みベクトルと、前記１次元水平ＣＳＩ−ＲＳポートアレイにマッピングするための前記手段のための前記インターサブアレイアグリゲーション重みベクトルとは、前記１次元垂直ＣＳＩ−ＲＳポートアレイのパターンと前記１次元水平ＣＳＩ−ＲＳポートアレイのパターンとが互いに相補的であるように選択される、請求項１８に記載の装置。
【請求項２２】
前記１次元垂直ＣＳＩ−ＲＳポートアレイと前記１次元水平ＣＳＩ−ＲＳポートアレイとにマッピングするための前記手段のための前記イントラサブアレイアグリゲーション重みベクトルおよび前記インターサブアレイアグリゲーション重みベクトルが、前記２次元アンテナアレイの列中の前記アンテナ要素の数、前記アンテナ要素間の間隔、ターゲットダウンチルト、およびエレベーション次元カバレージのうちの１つまたは複数に基づいて決定される、請求項１８に記載の装置。
【発明の詳細な説明】
【技術分野】
【０００１】
[0001]本開示の態様は、一般にワイヤレス通信システムに関し、より詳細には、１つまたは複数の１次元チャネル状態情報（ＣＳＩ）フィードバックを用いた全次元多入力多出力（ＭＩＭＯ）システムに関する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００３】
[0003]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００５】
[0005]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにも通信技術を進化させる研究および開発が続けられている。
【発明の概要】
【０００６】
[0006]本開示の一態様では、ワイヤレス通信のための方法が開示される。ワイヤレス通信のための方法は、２次元アンテナアレイを複数のサブアレイに分割することと、２次元アンテナアレイを、エレベーションＣＳＩフィードバックを受信するための１次元垂直チャネル状態情報基準信号（ＣＳＩ−ＲＳ）ポートアレイと、アジマスＣＳＩフィードバックを受信するための１次元水平ＣＳＩ−ＲＳポートアレイとにマッピングすることと、１次元垂直ＣＳＩ−ＲＳポートアレイから１つまたは複数のエレベーションＣＳＩ−ＲＳを送信し、１次元水平ＣＳＩ−ＲＳポートアレイから１つまたは複数のアジマスＣＳＩ−ＲＳを送信することとを含む。複数のサブアレイの各々は、同じ数のアンテナ要素を含む。マッピングすることは、複数のサブアレイの各々中でイントラサブアレイ（intra-sub-array）アンテナアグリゲーションを適用することと、複数のサブアレイの間でインターサブアレイ（inter-sub-array）アンテナアグリゲーションを適用することとを含む。
【０００７】
[0007]本開示の一態様では、ワイヤレス通信のための方法が開示される。ワイヤレス通信のための方法は、１次元垂直チャネル状態情報基準信号（ＣＳＩ−ＲＳ）ポートアレイのためのエレベーションチャネル状態情報（ＣＳＩ）フィードバックを受信することと、１次元水平ＣＳＩ−ＲＳポートアレイのためのアジマスＣＳＩフィードバックを受信することと、受信されたエレベーションＣＳＩフィードバックおよびアジマスＣＳＩフィードバックに基づいて、１次元垂直ＣＳＩ−ＲＳポートアレイから、または１次元水平ＣＳＩ−ＲＳポートアレイからデータを送信することを決定するために、動的ポイント選択を利用することとを含む。
【０００８】
[0008]本開示の一態様では、ワイヤレス通信のための方法が開示される。ワイヤレス通信のための方法は、２次元アンテナアレイを、１次元垂直チャネル状態情報基準信号（ＣＳＩ−ＲＳ）ポートアレイと、１次元水平ＣＳＩ−ＲＳポートアレイとにマッピングすることと、アグリゲートされたＣＳＩフィードバックを受信することと、ここにおいて、アグリゲートされたＣＳＩフィードバックが、１次元垂直ＣＳＩ−ＲＳポートアレイと１次元水平ＣＳＩ−ＲＳポートアレイの両方に関連する、を含む。
【０００９】
[0009]本開示の別の態様では、ワイヤレス通信のための装置が開示される。ワイヤレス通信のための装置は、２次元アンテナアレイを複数のサブアレイに分割するための手段と、２次元アンテナアレイを、エレベーションＣＳＩフィードバックを受信するための１次元垂直チャネル状態情報基準信号（ＣＳＩ−ＲＳ）ポートアレイと、アジマスＣＳＩフィードバックを受信するための１次元水平ＣＳＩ−ＲＳポートアレイとにマッピングするための手段と、１次元垂直ＣＳＩ−ＲＳポートアレイから１つまたは複数のエレベーションＣＳＩ−ＲＳを送信し、１次元水平ＣＳＩ−ＲＳポートアレイから１つまたは複数のアジマスＣＳＩ−ＲＳを送信するための手段とを含む。複数のサブアレイの各々は、同じ数のアンテナ要素を含む。マッピングするための手段は、複数のサブアレイの各々中でイントラサブアレイアンテナアグリゲーションを適用するための手段と、複数のサブアレイの間でインターサブアレイアンテナアグリゲーションを適用するための手段とを含む。
【００１０】
[0010]上記では、以下の発明を実施するための形態がより良く理解され得るように、本出願の特徴および技術的利点についてやや広く概説した。特許請求の範囲の主題を形成する追加の特徴および利点について、以下で説明する。開示する概念および特定の態様が、本出願の同じ目的を実行するための他の構造を変更または設計するための基礎として容易に利用され得ることを、当業者は諒解されたい。また、そのような等価な構成が、本出願および添付の特許請求の範囲の趣旨および範囲から逸脱しないことを、当業者は了解されたい。態様の特性であると考えられる新規の特徴は、それの編成と動作方法の両方に関して、さらなる目的および利点とともに、添付の図に関連して以下の説明を検討するとより良く理解されよう。ただし、図の各々は、例示および説明のみの目的で与えたものであり、本特許請求の範囲の限界を定めるものではないことを明確に理解されたい。
【図面の簡単な説明】
【００１１】
【図１】[0011]電気通信システムの一例を示すブロック図。
【図２】[0012]電気通信システムにおけるダウンリンクフレーム構造の一例を示すブロック図。
【図３】[0013]本開示の一態様に従って構成された基地局およびＵＥの設計を示すブロック図。
【図４Ａ】[0014]例示的な２次元アンテナアレイの図。
【図４Ｂ】[0015]例示的な２次元アンテナアレイの図。
【図５Ａ】[0016]本開示の一態様による、サブアレイ中のアンテナ要素の行のイントラサブアレイアンテナアグリゲーションを示す図。
【図５Ｂ】[0017]本開示の一態様による、複数のサブアレイからの複数のアグリゲートされた垂直サブアレイのインターサブアレイアンテナアグリゲーションを示す図。
【図５Ｃ】[0018]本開示の一態様による、１Ｄ垂直ＣＳＩ−ＲＳポートアレイ／ＴＰ−Ｅから送信されているビームを示す図。
【図６Ａ】[0019]本開示の一態様による、サブアレイ中のアンテナ要素の列のイントラサブアレイアンテナアグリゲーションを示す図。
【図６Ｂ】[0020]本開示の一態様による、複数のサブアレイからの複数のアグリゲートされた水平サブアレイのインターサブアレイアンテナアグリゲーションを示す図。
【図６Ｃ】[0021]本開示の一態様による、１Ｄ水平ＣＳＩ−ＲＳポートアレイ／ＴＰ−Ａから送信されているビームを示す図。
【図７】[0022]本開示の一態様による、２つの１Ｄ  ＣＳＩ−ＲＳポートアレイのための独立したＣＳＩフィードバックを示す図。
【図８】[0023]本開示の一態様による、２つの１Ｄ  ＣＳＩ−ＲＳポートアレイのためのアグリゲートされたＣＳＩフィードバックを示す図。
【図９】[0024]本開示の一態様を実装するために実行される例示的なブロックを示す機能ブロック図。
【図１０】[0025]本開示の一態様を実装するために実行される例示的なブロックを示す機能ブロック図。
【図１１】[0026]本開示の一態様を実装するために実行される例示的なブロックを示す機能ブロック図。
【図１２】[0027]本開示の一態様による、通信ネットワークにおけるｅＮＢのブロック図。
【発明を実施するための形態】
【００１２】
[0028]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１３】
[0029]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実装し得る。ＵＴＲＡは、広帯域ＣＤＭＡ（ＷＣＤＭＡ（登録商標））およびＣＤＭＡの他の変形態を含む。ＣＤＭＡ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ（登録商標）：Long Term Evolution）およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１４】
[0030]図１に、ＬＴＥネットワークであり得るワイヤレス通信ネットワーク１００を示す。ワイヤレスネットワーク１００は、いくつかのｅＮＢ１１０と他のネットワークエンティティとを含み得る。ｅＮＢは、ＵＥと通信する局であり得、基地局、ノードＢ、アクセスポイント、または他の用語で呼ばれることもある。各ｅＮＢ１１０ａ、１１０ｂ、１１０ｃは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１５】
[0031]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｘは、ＵＥ１２０ｘをサービスする、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００１６】
[0032]ワイヤレスネットワーク１００はまた、中継局１１０ｒを含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示されている例では、中継局１１０ｒは、ｅＮＢ１１０ａとＵＥ１２０ｒとの間の通信を可能にするために、ｅＮＢ１１０ａおよびＵＥ１２０ｒと通信し得る。中継局は、リレーｅＮＢ、リレーなどと呼ばれることもある。
【００１７】
[0033]ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００１８】
[0034]ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００１９】
[0035]ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２０】
[0036]ＵＥ１２０は、ワイヤレスネットワーク１００全体にわたって分散され得、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、スマートフォン、タブレット、ワイヤレスローカルループ（ＷＬＬ）局、または他のモバイルエンティティであり得る。ＵＥは、マクロｅＮＢ、ピコｅＮＢ、フェムトｅＮＢ、リレー、または他のネットワークエンティティと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉する送信を示す。
【００２１】
[0037]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２２】
[0038]図２に、ＬＴＥにおいて使用されるダウンリンクフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、図２に示されているようにノーマルサイクリックプレフィックス（ＣＰ）の場合は７つのシンボル期間、または拡張サイクリックプレフィックスの場合は６つのシンボル期間を含み得る。ノーマルＣＰおよび拡張ＣＰは、本明細書では異なるＣＰタイプとして言及され得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２３】
[0039]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、図２に示されているように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨは、あるシステム情報を搬送し得る。
【００２４】
[0040]ｅＮＢは、図２の第１のシンボル期間全体において示されているが、各サブフレームの第１のシンボル期間の一部のみの中で物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、ここで、Ｍは、１、２、または３に等しくなり得、サブフレームごとに変化し得る。Ｍはまた、たとえば、リソースブロックが１０個未満である、小さいシステム帯域幅では４に等しくなり得る。図２に示されている例では、Ｍ＝３である。ｅＮＢは、各サブフレームの最初のＭ個（図２ではＭ＝３）のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのリソース割振りに関する情報と、ダウンリンクチャネルのための制御情報とを搬送し得る。図２の第１のシンボル期間の中には示されていないが、ＰＤＣＣＨおよびＰＨＩＣＨは、第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２５】
[0041]ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２６】
[0042]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）中に配置され得る。各ＲＥＧは１つのシンボル期間において４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３２、または６４個のＲＥＧを占有し得る。ＲＥＧのいくつかの組合せのみがＰＤＣＣＨに対して可能にされ得る。
【００２７】
[0043]ＵＥは、ＰＨＩＣＨおよびＰＣＦＩＣＨのために使用される特定のＲＥＧを知り得る。ＵＥは、ＰＤＣＣＨについてＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００２８】
[0044]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００２９】
[0045]図３に、図１中の基地局／ｅＮＢのうちの１つであり得る基地局／ｅＮＢ１１０および図１中のＵＥのうちの１つであり得るＵＥ１２０の設計のブロック図を示す。制限付き関連付けシナリオの場合、基地局１１０は図１中のマクロｅＮＢ１１０ｃであり得、ＵＥ１２０はＵＥ１２０ｙであり得る。基地局１１０はまた、何らかの他のタイプの基地局であり得る。基地局１１０はアンテナ３３４ａ〜３３４ｔを備え得、ＵＥ１２０はアンテナ３５２ａ〜３５２ｒを備え得る。
【００３０】
[0046]基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データシンボルと制御シンボルとを取得するために、それぞれデータと制御情報とを処理（たとえば、符号化およびシンボルマッピング）し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、出力サンプルストリームを取得するために、（たとえば、ＯＦＤＭなどのために）それぞれの出力シンボルストリームを処理し得る。各変調器３３２はさらに、ダウンリンク信号を取得するために、出力サンプルストリームを処理（たとえば、アナログへの変換、増幅、フィルタ処理、およびアップコンバート）し得る。変調器３３２ａ〜３３２ｔからのダウンリンク信号は、それぞれアンテナ３３４ａ〜３３４ｔを介して送信され得る。
【００３１】
[0047]ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、入力サンプルを取得するために、それぞれの受信信号を調整（たとえば、フィルタ処理、増幅、ダウンコンバート、およびデジタル化）し得る。各復調器３５４はさらに、受信シンボルを取得するために、（たとえば、ＯＦＤＭなどのために）入力サンプルを処理し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０のための復号されたデータをデータシンク３６０に与え、復号された制御情報をコントローラ／プロセッサ３８０に与え得る。
【００３２】
[0048]アップリンク上では、ＵＥ１２０において、送信プロセッサ３６４が、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）復調器３５４ａ〜３５４ｒによって処理され、基地局１１０に送信され得る。基地局１１０において、ＵＥ１２０からのアップリンク信号は、アンテナ３３４によって受信され、復調器３３２によって処理され、適用可能な場合はＭＩＭＯ検出器３３６によって検出され、ＵＥ１２０によって送られた復号されたデータおよび制御情報を取得するために、さらに受信プロセッサ３３８によって処理され得る。プロセッサ３３８は、復号されたデータをデータシンク３３９に与え、復号された制御情報をコントローラ／プロセッサ３４０に与え得る。
【００３３】
[0049]コントローラ／プロセッサ３４０および３８０は、それぞれ基地局１１０およびＵＥ１２０における動作を指示し得る。基地局１１０におけるプロセッサ３４０および／または他のプロセッサおよびモジュールは、本明細書で説明する技法のための様々なプロセスを実行するかまたはその実行を指示し得る。ＵＥ１２０におけるプロセッサ３８０および／または他のプロセッサおよびモジュールはまた、図４および図５に示されている機能ブロック、および／または本明細書で説明する技法のための他のプロセスを実行するかまたはその実行を指示し得る。メモリ３４２および３８２は、それぞれ基地局１１０およびＵＥ１２０のためのデータおよびプログラムコードを記憶し得る。スケジューラ３４４は、ダウンリンク上および／またはアップリンク上でのデータ送信のためにＵＥをスケジュールし得る。
【００３４】
[0050]一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言するための手段とを含む。一態様では、上述の手段は、上述の手段によって具陳される機能を実行するように構成された、（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａであり得る。別の態様では、上述の手段は、上述の手段によって具陳された機能を実行するように構成されたモジュールまたは任意の装置であり得る。
【００３５】
[0051]システム容量を増加させるために、ｅＮＢが、多数のアンテナをもつ２次元（２Ｄ）アンテナアレイを使用する、３次元（３Ｄ）ＭＩＭＯ技術が考えられている。ビームフォーミングは、一般に、３Ｄマルチパス伝搬のアジマス次元のみを使用して実装している。しかしながら、スマートアンテナ技術の進歩に伴って、３Ｄビームフォーミングが、現在、ＭＩＭＯシステム容量を改善するために、垂直寸法と水平寸法の両方における動的ビームステアリングを可能にする。
【００３６】
[0052]多数のアンテナをもつ２Ｄアンテナアレイの場合、１つまたは複数のユーザ機器（ＵＥ）からのチャネル状態情報（ＣＳＩ）フィードバックが、ｅＮＢによって使用され得る。ＣＳＩは、プリコーディングマトリックインジケータ（ＰＭＩ）、ランクインジケータ（ＲＩ）、およびチャネル品質インジケータ（ＣＱＩ）のうちの１つまたは複数を含み得、ダウンリンクチャネル推定とあらかじめ定義されたＰＭＩコードブックとに基づいて決定され得る。しかしながら、多数のアンテナをもつ大規模アンテナアレイのためのＣＳＩフィードバックを収集することは、チャネル推定複雑さ、ダウンリンクＣＳＩ基準信号（ＣＳＩ−ＲＳ）オーバーヘッド、およびアップリンクＣＳＩフィードバックオーバーヘッドにより困難である。
【００３７】
[0053]２ＤアンテナアレイのためのＣＳＩの収集は、大規模アンテナアレイを、ＣＳＩ測定のためのより小さいサイズのアンテナアレイに圧縮することによって達成され得る。たとえば、従来の６４ＴＸ交差偏波２Ｄアレイ４００は、１６ＴＸ交差偏波２Ｄアレイにマッピングされ得る。図４Ａを参照すると、アンテナ要素の８つの行および８つの列をもつ協定６４ＴＸ交差偏波２Ｄアレイ４００が、１６個のＣＳＩ−ＲＳポート４０２をもつ１６ＴＸ交差偏波２Ｄアレイにマッピングされる。したがって、ＵＥは、２ポートエレベーションＣＳＩおよび８ポートアジマスＣＳＩまたは１６ポート２ＤジョイントＣＳＩをフィードバックし得る。圧縮された１６ＴＸ交差偏波２Ｄアレイの場合、８５度から１０７度の間の天頂角について、正のエレベーションビームフォーミング利得が達成され得る。しかしながら、対応するエレベーションビームフォーミング利得は、特に高層の（high-rise）ＵＥの場合、エレベーションポートの低減された数により、小さいことがある。
【００３８】
[0054]２ＤアンテナアレイのためのＣＳＩの収集はまた、完全な２Ｄアレイのサブセットについて別々にエレベーションＣＳＩとアジマスＣＳＩとを測定することと、エレベーション次元とアジマス次元とにおけるＣＳＩ測定を制御するように積コードブック（product codebook）を設計することとによって達成され得る。図４Ｂを参照すると、エレベーションＣＳＩは、Ｍ個のエレベーションＣＳＩ−ＲＳポートから測定され得、アジマスＣＳＩは、Ｎ個のアジマスＣＳＩ−ＲＳ  Ｘ−ｐｏｌポートから測定され得る。エレベーションＣＳＩ−ＲＳポートは、２Ｄアンテナアレイのアンテナ要素の行のアグリゲーションを用いてまたは用いずに、エレベーション次元におけるアンテナ要素からマッピングされ得る。アジマスＣＳＩ−ＲＳポートは、２Ｄアンテナアレイのアンテナ要素の列のアグリゲーションを用いてまたは用いずに、アジマス次元におけるアンテナ要素からマッピングされ得る。積コードブックは、エレベーションコードブック選択とアジマスコードブック選択とに基づいて生成され得る。したがって、ｅＮＢにおける総Ｍ×Ｎアンテナポートのための送信ビームフォーミングベクトルは、２つのコードブック選択のクロネッカー積である。対応して、ＵＥは、ＣＱＩおよび好ましいランクを選定するために、そのような２つのコードブック選択を使用し得る。好ましいランクは、決定された次元におけるストリームの数を示し得る。しかしながら、ＣＳＩの収集のこの方法は、いくつかの固有の限定を有し得る。たとえば、エレベーションコードブックは、垂直次元においてアジマスＣＳＩ−ＲＳポートをコフェージングする（co-phase）ために使用されるにすぎない。さらなる例として、エレベーションＣＳＩのみがランク１をサポートするが、アンテナアレイはＸ−ｐｏｌ構造を有する。アジマスＣＳＩ中でランク２が決定される場合、異なるエレベーションコフェージング重みが、アジマス次元における各空間ストリームについて必要とされ得る。したがって、クロネッカー積コードブックは、エレベーション角度拡散が大きいとき、問題であり得る。したがって、本開示の態様は、エレベーションＣＳＩフィードバックとアジマスＣＳＩフィードバックとを受信するためのエレベーションＣＳＩ−ＲＳ送信とアジマスＣＳＩ−ＲＳ送信とのためのアンテナアグリゲーションの手法を提案する。
【００３９】
[0055]本開示の様々な態様は、２Ｄアンテナアレイが、アンテナアグリゲーションを使用して２つの１Ｄアレイにマッピングされ得ることを与える。たとえば、Ｍ（垂直）×Ｎ（水平）（以下「Ｍ（Ｖ）×Ｎ（Ｈ）」と呼ぶ）交差偏波２Ｄアンテナアレイが、アンテナアグリゲーションを使用して２つのＸ−ｐｏｌ１Ｄアレイにマッピングされ得る。Ｍは、交差偏波２Ｄアンテナアレイの列数または列数のサブセットを表し得る。Ｎは、交差偏波２Ｄアンテナアレイの行数または行数のサブセットを表し得る。２つのＸ−ｐｏｌ１Ｄアレイは、Ｍポート交差偏波垂直ＣＳＩ−ＲＳポートアレイと、Ｎポート交差偏波水平ＣＳＩ−ＲＳポートアレイとを含み得る。各１Ｄアレイは、それの空間カバレージに関連し得る。各空間カバレージは、互いに重複しないことがある。ｅＮＢは、Ｍポート交差偏波垂直ＣＳＩ−ＲＳポートアレイから１つまたは複数のエレベーションＣＳＩ−ＲＳを送信し、および／またはＮポート交差偏波水平ＣＳＩ−ＲＳポートアレイから１つまたは複数のアジマスＣＳＩ−ＲＳを送信し得る。対応して、ＵＥは、Ｍポート交差偏波垂直ＣＳＩ−ＲＳポートアレイのためのエレベーションＣＳＩをフィードバックし、および／またはＮポート交差偏波水平ＣＳＩ−ＲＳポートアレイのためのアジマスＣＳＩをフィードバックし得る。ＵＥは、ＵＥ固有３Ｄビームフォーミング重みベクトルを構成するために、別々にまたは一緒にエレベーションＣＳＩとアジマスＣＳＩとをフィードバックし得る。Ｍ（Ｖ）×Ｎ（Ｈ）交差偏波２Ｄアンテナアレイのアンテナ要素のサブセットのための、エレベーションＣＳＩのＣＳＩポートの数、およびアジマスＣＳＩのＣＳＩポートの数は、ＵＥの能力に基づいて決定され得る。
【００４０】
[0056]Ｍ（Ｖ）×Ｎ（Ｈ）交差偏波２Ｄアンテナアレイを、２つのＸ−ｐｏｌ１Ｄアレイにマッピングすることは、Ｍ（Ｖ）×Ｎ（Ｈ）交差偏波２Ｄアンテナアレイを複数のサブアレイに分割することと、複数のサブアレイの各々中でイントラサブアレイアンテナアグリゲーションを適用することと、複数のサブアレイの間でインターサブアレイアンテナアグリゲーションを適用することとを含み得る。図４Ｂを参照すると、Ｍ（Ｖ）×Ｎ（Ｈ）交差偏波２Ｄアンテナアレイ４０４は、４つのサブアレイ（Ｓ1、Ｓ2、Ｓ3、およびＳ4）に分割され得る。各サブアレイは、同じ数のアンテナ要素を有し得る。たとえば、Ｓ1、Ｓ2、Ｓ3、およびＳ4は、すべて、Ｍ／２（Ｖ）×Ｎ／２（Ｈ）個のアンテナ要素を有する。
【００４１】
[0057]図５Ａに、本開示の一態様による、Ｍ／２（Ｖ）×Ｎ／２（Ｈ）アンテナ要素をもつサブアレイ５００中のアンテナ要素の行のイントラサブアレイアンテナアグリゲーションを示す。サブアレイ５００では、アンテナ要素５０２のすべての行は、アグリゲートされた垂直サブアレイ５０４を形成するために、アグリゲートされ得る。本開示のいくつかの態様では、イントラサブアレイアンテナアグリゲーションは、サブアレイ５００中のアンテナ要素５０２の行のサブセットを用いて適用され得る。図５Ｂに、本開示の一態様による、ＴＰ−Ｅとも呼ばれる１Ｄ垂直ＣＳＩ−ＲＳポートアレイを形成するための、複数のサブアレイからの複数のアグリゲートされた垂直サブアレイのインターサブアレイアンテナアグリゲーションを示す。図５Ｃに、１Ｄ垂直ＣＳＩ−ＲＳポートアレイ／ＴＰ−Ｅから送信されているビームを示す。
【００４２】
[0058]図５Ｂを参照すると、２×１重みベクトルを使用することによって、サブアレイＳ1からのアグリゲートされた垂直サブアレイは、サブアレイＳ2からのアグリゲートされた垂直サブアレイとアグリゲートし得、サブアレイＳ3からのアグリゲートされた垂直サブアレイは、サブアレイＳ4からのアグリゲートされた垂直サブアレイとアグリゲートし得る。図５Ｃを参照すると、異なるサブアレイからのアグリゲートされた垂直サブアレイは、互いに無相関であり得る。本開示のいくつかの態様では、２Ｄアンテナアレイを１Ｄ垂直ＣＳＩ−ＲＳポートアレイにマッピングするためのインターサブアレイアグリゲーションは、サブアレイのサブセットを用いて適用され得る。
【００４３】
[0059]図６Ａに、本開示の一態様による、Ｍ／２（Ｖ）×Ｎ／２（Ｈ）アンテナ要素をもつサブアレイ６００中のアンテナ要素の列のイントラサブアレイアンテナアグリゲーションを示す。サブアレイ６００では、アンテナ要素６０２のすべての列は、アグリゲートされた水平サブアレイ６０４を形成するために、アグリゲートされ得る。本開示のいくつかの態様では、イントラサブアレイアンテナアグリゲーションは、サブアレイ６００中のアンテナ要素６０２の列のサブセットを用いて適用され得る。図６Ｂに、本開示の一態様による、ＴＰ−Ａとも呼ばれる１Ｄ水平ＣＳＩ−ＲＳポートアレイを形成するための、複数のサブアレイからの複数のアグリゲートされた水平サブアレイのインターサブアレイアンテナアグリゲーションを示す。図６Ｃに、１Ｄ水平ＣＳＩ−ＲＳポートアレイ／ＴＰ−Ａから送信されているビームを示す。
【００４４】
[0060]図６Ｂを参照すると、サブアレイＳ1からのアグリゲートされた水平サブアレイは、サブアレイＳ2からのアグリゲートされた水平サブアレイとアグリゲートし得、サブアレイＳ3からのアグリゲートされた水平サブアレイは、サブアレイＳ4からのアグリゲートされた水平サブアレイとアグリゲートし得る。図６Ｃを参照すると、異なるサブアレイからのアグリゲートされた水平サブアレイは、互いに無相関であり得る。本開示のいくつかの態様では、２Ｄアンテナアレイを１Ｄ水平ＣＳＩ−ＲＳポートアレイにマッピングするためのインターサブアレイアグリゲーションは、サブアレイのサブセットを用いて適用され得る。
【００４５】
[0061]本開示のいくつかの態様では、イントラサブアレイアンテナアグリゲーションおよびインターサブアレイアンテナアグリゲーションの適用は、イントラサブアレイアグリゲーション重みベクトルとインターサブアレイアグリゲーション重みベクトルとを利用することを含み得る。重みベクトルは、セル固有および次元固有であり得る。したがって、２Ｄアンテナアレイを１ＤエレベーションＣＳＩ−ＲＳポートアレイにマッピングするためのイントラサブアレイアンテナアグリゲーションおよびインターサブアレイアンテナアグリゲーション重みベクトルは、２Ｄアンテナアレイを１ＤアジマスＣＳＩ−ＲＳポートアレイにマッピングするためのイントラサブアレイアンテナアグリゲーションおよびインターサブアレイアンテナアグリゲーション重みベクトルとは異なり得る。したがって、１ＤエレベーションＣＳＩ−ＲＳポートアレイからエレベーションＣＳＩ−ＲＳを送信するためのビームは、エレベーション次元において１ＤアジマスＣＳＩ−ＲＳポートアレイからアジマスＣＳＩ−ＲＳを送信するためのビームに直交し得る。
【００４６】
[0062]本開示の追加の態様では、２Ｄアンテナアレイを１Ｄ垂直ＣＳＩ−ＲＳポートアレイ（ＴＰ−Ｅ）にマッピングするためのイントラサブアレイアグリゲーション重みベクトルは、非定常係数（ＣＭ）セクタビームベクトルまたは小遅延サイクリック遅延（ＣＤＤ）プリコーディングベースＣＭベクトルであり得、２Ｄアンテナアレイを１Ｄ水平ＣＳＩ−ＲＳポートアレイ（ＴＰ−Ａ）にマッピングするためのイントラサブアレイアグリゲーション重みベクトルは、以下のようにターゲットダウンチルトに基づいて決定され得る。
【００４７】
【数１】
0006786479.tif 000002
【００４８】
ここで、
【００４９】
【数２】
0006786479.tif 000003
【００５０】
および
【００５１】
【数３】
0006786479.tif 000004
【００５２】
であり、ここで、
【００５３】
【数４】
0006786479.tif 000005
【００５４】
は、２Ｄアンテナアレイを１Ｄ水平ＣＳＩ−ＲＳポートアレイ（ＴＰ−Ａ）にマッピングするためのインターサブアレイアグリゲーション重みベクトルを表し、ここで、Ｍは２Ｄアンテナアレイの列数を表し、ここで、ｂ（θ）はビームのターゲットダウンチルトを表す。
【００５５】
[0063]本開示のいくつかの態様では、２Ｄアンテナアレイを、１Ｄ垂直ＣＳＩ−ＲＳポートアレイ（ＴＰ−Ｅ）に、および１Ｄ水平ＣＳＩ−ＲＳポートアレイ（ＴＰ−Ａ）にマッピングするためのインターサブアレイアグリゲーション重みベクトルは、以下のようなＣＭ重みベクトルであり得る。
【００５６】
【数５】
0006786479.tif 000006
【００５７】
および
【００５８】
【数６】
0006786479.tif 000007
【００５９】
ここで、
【００６０】
【数７】
0006786479.tif 000008
【００６１】
は、２Ｄアンテナアレイを１Ｄ垂直ＣＳＩ−ＲＳポートアレイ（ＴＰ−Ｅ）にマッピングするためのインターサブアレイアグリゲーション重みベクトルを表し、ここで、
【００６２】
【数８】
0006786479.tif 000009
【００６３】
は、２Ｄアンテナアレイを１Ｄ水平ＣＳＩ−ＲＳポートアレイ（ＴＰ−Ａ）にマッピングするためのインターサブアレイアグリゲーション重みベクトルを表す。
【００６４】
[0064]本開示のいくつかの好ましい態様では、パラメータαおよびβは、エレベーション次元における１Ｄ垂直ＣＳＩ−ＲＳポートアレイ（ＴＰ−Ｅ）のパターンと１Ｄ水平ＣＳＩ−ＲＳポートアレイ（ＴＰ−Ａ）のパターンとが互いに相補的であり得るように選択され得る。
【００６５】
[0065]パラメータαおよびβ、ならびに２Ｄアンテナアレイを、１Ｄ垂直ＣＳＩ−ＲＳポートアレイ（ＴＰ−Ｅ）に、および１Ｄ水平ＣＳＩ−ＲＳポートアレイ（ＴＰ−Ａ）にマッピングするためのイントラサブアレイアグリゲーション重みベクトルおよびインターサブアレイアグリゲーション重みベクトルは、２Ｄアンテナアレイの列中のアンテナ要素の数、アンテナ要素間の間隔、ターゲットダウンチルト、エレベーション次元カバレージ、またはそれらの組合せに基づいて決定され得る。
【００６６】
[0066]たとえば、８つの垂直アンテナ要素を用い、０．９λ間隔を用いたシナリオの場合、インターサブアレイアグリゲーション重みベクトルは以下のように選択され得る。
【００６７】
【数９】
0006786479.tif 000010
【００６８】
および
【００６９】
【数１０】
0006786479.tif 000011
【００７０】
ここで、パラメータαは−ｊに等しく、パラメータβは１に等しい。
【００７１】
[0067]高層のＵＥのためのエレベーションビームフォーミング利得は、特に８０度から９０度の間の天頂角について、上記の１６ＣＳＩ−ＲＳポート設計と比較して改善され得る。
【００７２】
[0068]本開示のいくつかの態様では、２Ｄアンテナアレイを２つの１Ｄ  ＣＳＩ−ＲＳポートアレイにマッピングするためのイントラサブアレイアグリゲーション重みベクトルおよびインターサブアレイアグリゲーション重みベクトルは、一緒に、以下のマッピング行列によって表され得る。
【００７３】
【数１１】
0006786479.tif 000012
【００７４】
および
【００７５】
【数１２】
0006786479.tif 000013
【００７６】
ここで、
【００７７】
【数１３】
0006786479.tif 000014
【００７８】
、
【００７９】
【数１４】
0006786479.tif 000015
【００８０】
、
【００８１】
【数１５】
0006786479.tif 000016
【００８２】
、および
【００８３】
【数１６】
0006786479.tif 000017
【００８４】
は、２Ｄアンテナアレイを、１Ｄ垂直ＣＳＩ−ＲＳポートアレイ（ＴＰ−Ｅ）および１Ｄ水平ＣＳＩ−ＲＳポートアレイ（ＴＰ−Ａ）にマッピングするためのイントラサブアレイアグリゲーション重みベクトルおよびインターサブアレイアグリゲーション重みベクトルであり、ここで、Ｉは単位行列を表す。
【００８５】
[0069]いくつかの実施形態では、Ｍ（Ｖ）×Ｎ（Ｈ）２Ｄアンテナアレイは、大規模ＭＩＭＯ適用例では、多数のＴＸポート、たとえば、６４個超のＴＸポートを有し得る。ＭまたはＮが、ＵＥが処理するには大きすぎる場合、大きいＭ（Ｖ）×Ｎ（Ｈ）２Ｄアンテナアレイは、複数のサブアレイ、たとえば、４つのＭ／２（Ｖ）×Ｎ／２（Ｈ）２Ｄサブアレイに分解され得る。対応して、ＵＥは、Ｍ／２（Ｖ）×Ｎ／２（Ｈ）２Ｄサブアレイのうちの１つ、またはそのサブアレイのサブセットのためのＣＳＩでｅＮＢにフィードバックし得る。エレベーションＣＳＩフィードバックは、Ｍ／２（Ｖ）ＣＳＩ−ＲＳポートアレイに関連し得る。アジマスＣＳＩフィードバックは、Ｎ／２（Ｈ）ＣＳＩ−ＲＳポートアレイに関連し得る。大きいＭ（Ｖ）×Ｎ（Ｈ）２Ｄアンテナアレイは、ＣＳＩポートの数がＵＥによってサポートされることが可能になるまで、複数回分解され得る。
【００８６】
[0070]アンテナアレイのアンテナ要素の数、ＣＳＩ−ＲＳポートの数、サブアレイの数、および次元の数は、特定の数に限定されないことに留意されたい。
【００８７】
[0071]図７に、本開示の一態様による、２つの１Ｄ  ＣＳＩ−ＲＳポートアレイのための独立したＣＳＩフィードバックを示す。図７では、ＵＥ７０６は、１Ｄ垂直ＣＳＩ−ＲＳポートアレイ（ＴＰ−Ｅ）７０４のためのＣＳＩ、および１Ｄ水平ＣＳＩ−ＲＳポートアレイ（ＴＰ−Ａ）７０２のためのＣＳＩを測定し、そのＣＳＩを別々に（図７に示されていない）ｅＮＢにフィードバックし得る。ＵＥ７０６は、１Ｄ垂直ＣＳＩ−ＲＳポートアレイ（ＴＰ−Ｅ）７０４からの受信されたエレベーションＣＳＩ−ＲＳに基づいて、エレベーションＣＳＩ、たとえば、エレベーションＰＭＩ、エレベーションＲＩ、およびエレベーションＣＱＩを測定し得る。ＵＥ７０６は、１Ｄ水平ＣＳＩ−ＲＳポートアレイ（ＴＰ−Ａ）７０６からの受信されたアジマスＣＳＩ−ＲＳに基づいて、アジマスＣＳＩ、たとえば、アジマスＰＭＩ、アジマスＲＩ、およびアジマスＣＱＩを測定し得る。１ＤエレベーションＣＳＩ−ＲＳポートアレイ（ＴＰ−Ｅ）７０４および１Ｄ水平ＣＳＩ−ＲＳポートアレイ（ＴＰ−Ａ）７０６は、ｅＮＢにおいて２Ｄアンテナアレイ７００からマッピングされ得る。
【００８８】
[0072]本開示のいくつかの態様では、エレベーションＰＭＩ／ＲＩおよびアジマスＰＭＩ／ＲＩは、各次元について独立して選択され得る。総Ｍ×Ｎアンテナポートのための送信ビームフォーミングベクトルは、ｅＮＢにおいて、受信されたエレベーションＰＭＩおよびアジマスＰＭＩに基づいて構成され得る。たとえば、ｅＮＢは、２Ｄアンテナアレイ７００を１ＤアジマスＣＳＩ−ＲＳポートアレイ（ＴＰ−Ａ）７０２にマッピングするためのイントラサブアレイ重みベクトルおよびインターサブアレイ重みベクトルと、受信されたアジマスＰＭＩを組み合わせ得る。ｅＮＢは、２Ｄアンテナアレイ７００を１ＤエレベーションＣＳＩ−ＲＳポートアレイ（ＴＰ−Ｅ）７０４にマッピングするためのイントラサブアレイ重みベクトルおよびインターサブアレイ重みベクトルと、受信されたエレベーションＰＭＩを組み合わせ得る。
【００８９】
[0073]本開示のいくつかの態様では、受信されたエレベーションＣＱＩおよびアジマスＣＱＩに基づいて、エレベーションＰＭＩから決定されたビームフォーミングベクトルを使用して、１Ｄ垂直ＣＳＩ−ＲＳポートアレイ（ＴＰ−Ｅ）７０４からデータを送信すること、またはアジマスＰＭＩから決定されたビームフォーミングベクトルを使用して、１ＤアジマスＣＳＩ−ＲＳポートアレイ（ＴＰ−Ａ）７０２からデータを送信することを決定するために、動的ポイント選択（ＤＰＳ：dynamic point selection）が利用され得る。しかしながら、エレベーション次元におけるビームフォーミングとアジマス次元におけるビームフォーミングとの間に協調がないことがある。ＵＥ固有適応は、１次元のみにおいて、たとえば、エレベーション次元またはアジマス次元のいずれかにおいて達成され得る。
【００９０】
[0074]図８に、本開示の一態様による、２つの１Ｄ  ＣＳＩ−ＲＳポートアレイのためのアグリゲートされたＣＳＩフィードバックを示す。１Ｄ  ＣＳＩ−ＲＳポートアレイのためのアグリゲートされたＣＳＩフィードバックはまた、別の１Ｄ  ＣＳＩ−ＲＳポートアレイのためのＣＳＩフィードバックを考慮し得る。したがって、エレベーション次元とアジマス次元の両方におけるビームフォーミングは、互いに相関していることがあり、したがって、ＵＥ固有３次元（３Ｄ）ビームフォーミングが達成され得る。たとえば、ＵＥ８０６から送信されるアグリゲートされたアジマスＣＳＩフィードバックは、１Ｄ垂直ＣＳＩ−ＲＳポートアレイ（ＴＰ−Ｅ）８０４と１Ｄ水平ＣＳＩ−ＲＳポートアレイ（ＴＰ−Ａ）８０２の両方に関連し得る。アグリゲートされたアジマスＣＳＩフィードバックは、１Ｄ水平ＣＳＩ−ＲＳポートアレイ（ＴＰ−Ａ）８０２のための、アジマスＰＭＩ、アジマスＲＩ、アジマスＣＱＩ、および基準広帯域垂直プリコーディングベクトルを含み得る。基準広帯域垂直プリコーディングベクトルは、１Ｄ垂直ＣＳＩ−ＲＳポートアレイ（ＴＰ−Ｅ）８０４に基づいて決定され得、ランク１垂直プリコーディングベクトルであり得る。基準広帯域垂直プリコーディングベクトルは、さらに、以下のようにエレベーション次元における平均チャネル共分散行列に基づいて決定され得る。
【００９１】
【数１７】
0006786479.tif 000018
【００９２】
ここで、
【００９３】
【数１８】
0006786479.tif 000019
【００９４】
は、ｊ番目の周波数リソースブロック上の１Ｄ垂直ＣＳＩ−ＲＳポートアレイ（ＴＰ−Ｅ）８０４に関連する垂直ＣＳＩ−ＲＳポートチャネルである。
【００９５】
[0075]したがって、１Ｄ水平ＣＳＩ−ＲＳポートアレイ（ＴＰ−Ａ）８０２のためのＵＥ固有イントラサブアレイ重みベクトルは、以下のように与えられ得る。
【００９６】
【数１９】
0006786479.tif 000020
【００９７】
ここで、ｅｖｅｃは、エレベーション次元における平均チャネル共分散行列の優勢固有ベクトルを示す。
【００９８】
[0076]１Ｄ水平ＣＳＩ−ＲＳポートアレイ（ＴＰ−Ａ）８０２のためのＵＥ固有インターサブアレイ重みベクトルも、基準広帯域垂直プリコーディングベクトルに基づいて更新され得ることに留意されたい。したがって、１Ｄ水平ＣＳＩ−ＲＳポートアレイ（ＴＰ−Ａ）８０２からのデータ送信のためのＵＥ固有３Ｄビームフォーミング重みベクトルは、以下のように生成され得る。
【００９９】
【数２０】
0006786479.tif 000021
【０１００】
ここで、
【０１０１】
【数２１】
0006786479.tif 000022
【０１０２】
は、１Ｄ水平ＣＳＩ−ＲＳポートアレイ（ＴＰ−Ａ）８０２から測定されたＵＥ固有アジマスＰＭＩに関連し、ここで、
【０１０３】
【数２２】
0006786479.tif 000023
【０１０４】
および
【０１０５】
【数２３】
0006786479.tif 000024
【０１０６】
は、１Ｄ垂直ＣＳＩ−ＲＳポートアレイ（ＴＰ−Ｅ）８０４の平均チャネル共分散行列に基づく基準広帯域垂直プリコーディングベクトルに関連する。
【０１０７】
[0077]本開示のいくつかの態様では、ＵＥは、基準広帯域垂直プリコーディングベクトルに基づいて、エレベーションビームフォーミング利得オフセットを決定し得る。したがって、１Ｄ水平ＣＳＩ−ＲＳポートアレイ（ＴＰ−Ａ）８０２のためのアグリゲートされたＣＳＩフィードバックにおけるアジマスＣＱＩは、基準広帯域垂直プリコーディングベクトルに関連する追加のエレベーションビームフォーミング利得オフセットを加算することによって決定され得る。アグリゲートされたＣＳＩフィードバックにおけるアジマスＰＭＩは、サブバンドに関連し得、したがって、アジマスＣＳＩフィードバックは、広帯域垂直ビームフォーミングとサブバンド水平ビームフォーミングの両方に関連し得る。
【０１０８】
[0078]さらなる例として、ＵＥ８０６から送信されるアグリゲートされたエレベーションＣＳＩフィードバックも、１Ｄ垂直ＣＳＩ−ＲＳポートアレイ（ＴＰ−Ｅ）８０４と１Ｄ水平ＣＳＩ−ＲＳポートアレイ（ＴＰ−Ａ）８０２の両方に関連し得る。アグリゲートされたエレベーションＣＳＩフィードバックは、１Ｄ垂直ＣＳＩ−ＲＳポートアレイ（ＴＰ−Ｅ）８０４のための、エレベーションＰＭＩ、エレベーションＲＩ、エレベーションＣＱＩ、および基準広帯域水平プリコーディングベクトルを含み得る。基準広帯域水平プリコーディングベクトルは、１Ｄ水平ＣＳＩ−ＲＳポートアレイ（ＴＰ−Ａ）８０２に基づいて決定され得、ランク１水平プリコーディングベクトルであり得る。基準広帯域水平プリコーディングベクトルは、さらに、以下のようにアジマス次元における平均チャネル共分散行列に基づいて決定され得る。
【０１０９】
【数２４】
0006786479.tif 000025
【０１１０】
ここで、
【０１１１】
【数２５】
0006786479.tif 000026
【０１１２】
は、ｊ番目の周波数リソースブロック上の１Ｄ水平ＣＳＩ−ＲＳポートアレイ（ＴＰ−Ａ）８０２に関連する水平ＣＳＩ−ＲＳポートチャネルである。
【０１１３】
[0079]したがって、１Ｄ垂直ＣＳＩ−ＲＳポートアレイ（ＴＰ−Ａ）８０４のためのＵＥ固有イントラサブアレイ重みベクトルは、以下のように与えられ得る。
【０１１４】
【数２６】
0006786479.tif 000027
【０１１５】
ここで、ｅｖｅｃは、アジマス次元における平均チャネル共分散行列の優勢固有ベクトルを示す。
【０１１６】
[0080]１Ｄ垂直ＣＳＩ−ＲＳポートアレイ（ＴＰ−Ｅ）８０４のためのＵＥ固有インターサブアレイ重みベクトルも、基準広帯域水平プリコーディングベクトルに基づいて更新され得ることに留意されたい。したがって、１Ｄ垂直ＣＳＩ−ＲＳポートアレイ（ＴＰ−Ｅ）８０４からのデータ送信のためのＵＥ固有３Ｄビームフォーミング重みベクトルは、以下のようであり得る。
【０１１７】
【数２７】
0006786479.tif 000028
【０１１８】
ここで、
【０１１９】
【数２８】
0006786479.tif 000029
【０１２０】
は、１Ｄ垂直ＣＳＩ−ＲＳポートアレイ（ＴＰ−Ｅ）８０４から測定されたＵＥ固有エレベーションＰＭＩに関連し、ここで、
【０１２１】
【数２９】
0006786479.tif 000030
【０１２２】
および
【０１２３】
【数３０】
0006786479.tif 000031
【０１２４】
は、１Ｄ水平ＣＳＩ−ＲＳポートアレイ（ＴＰ−Ａ）８０２の平均チャネル共分散行列に基づく基準広帯域水平プリコーディングベクトルに関連する。
【０１２５】
[0081]本開示のいくつかの態様では、ＵＥは、基準広帯域水平プリコーディングベクトルに基づいて、アジマスビームフォーミング利得オフセットを決定し得る。したがって、１Ｄ垂直ＣＳＩ−ＲＳポートアレイ（ＴＰ−Ｅ）８０４のためのアグリゲートされたＣＳＩフィードバックにおけるエレベーションＣＱＩは、基準広帯域水平プリコーディングベクトルに関連する追加のアジマスビームフォーミング利得オフセットを加算することによって決定され得る。アグリゲートされたＣＳＩフィードバックにおけるエレベーションＰＭＩは、サブバンドに関連し得、したがって、エレベーションＣＳＩフィードバックは、広帯域水平ビームフォーミングとサブバンド垂直ビームフォーミングの両方に関連し得る。
【０１２６】
[0082]本開示のいくつかの態様では、受信されたアグリゲートされたエレベーションＣＳＩフィードバックおよびアジマスＣＳＩフィードバック、たとえば、エレベーションＣＱＩおよびアジマスＣＱＩに基づいて、１Ｄ垂直ＣＳＩ−ＲＳポートアレイ（ＴＰ−Ｅ）８０４または１ＤアジマスＣＳＩ−ＲＳポートアレイ（ＴＰ−Ａ）８０２からデータを送信することを決定するために、動的ポイント選択（ＤＰＳ）が利用され得る。
【０１２７】
[0083]図９は、本開示の一態様を実装するために実行される例示的なブロックを示す機能ブロック図９００である。ブロック９０２において、ｅＮＢなどのネットワークエンティティが、２次元アンテナアレイを複数のサブアレイに分割する。複数のサブアレイの各々は、同じ数のアンテナ要素を含み得る。ブロック９０４において、ｅＮＢは、２次元アンテナアレイを、エレベーションＣＳＩフィードバックを受信するための１次元垂直ＣＳＩ−ＲＳポートアレイと、アジマスＣＳＩフィードバックを受信するための１次元水平ＣＳＩ−ＲＳポートアレイとにマッピングする。マッピングすることは、複数のサブアレイの各々中でイントラサブアレイアンテナアグリゲーションを適用することと、複数のサブアレイの間でインターサブアレイアンテナアグリゲーションを適用することとを含み得る。ブロック９０６において、ｅＮＢは、１次元垂直ＣＳＩ−ＲＳポートアレイから１つまたは複数のエレベーションＣＳＩ−ＲＳを送信し、および／または１次元水平ＣＳＩ−ＲＳポートアレイから１つまたは複数のアジマスＣＳＩ−ＲＳを送信する。対応して、ＵＥは、ｅＮＢの１次元垂直ＣＳＩ−ＲＳポートアレイから１つまたは複数のエレベーションＣＳＩ−ＲＳを受信し、および／またはｅＮＢの１次元水平ＣＳＩ−ＲＳポートアレイから１つまたは複数のアジマスＣＳＩ−ＲＳを受信し、対応するエレベーションＣＳＩフィードバックおよび／またはアジマスＣＳＩフィードバックをｅＮＢに送信し得る。ＵＥがサポートすることが可能であるＣＳＩポートの数を含む、ＵＥの能力に基づいて、ｅＮＢは、全次元ＭＩＭＯシステムを実装するために、マッピング方法を決定し、ＵＥからチャネル状態情報を収集し得る。
【０１２８】
[0084]図１０は、本開示の一態様を実装するために実行される例示的なブロックを示す機能ブロック図１０００である。ブロック１００２において、ｅＮＢなどのネットワークエンティティが、１次元垂直ＣＳＩ−ＲＳポートアレイのためのエレベーションＣＳＩフィードバックを受信する。ブロック１００４において、ｅＮＢは、１次元水平ＣＳＩ−ＲＳポートアレイのためのアジマスＣＳＩフィードバックを受信する。ブロック１００６において、ｅＮＢは、受信されたエレベーションＣＳＩフィードバックおよびアジマスＣＳＩフィードバックに基づいて、１次元垂直ＣＳＩ−ＲＳポートアレイから、または１次元水平ＣＳＩ−ＲＳポートアレイからデータを送信することを決定するために、動的ポイント選択を利用する。対応して、ＵＥは、ｅＮＢが、１次元垂直ＣＳＩ−ＲＳポートアレイから、または１次元水平ＣＩＳ−ＲＳポートアレイから、または両方のアレイからデータを送信することを決定するために、エレベーションＣＳＩフィードバックとアジマスＣＳＩフィードバックとをｅＮＢに送信し得る。
【０１２９】
[0085]図１１は、本開示の一態様を実装するために実行される例示的なブロックを示す機能ブロック図１１００である。ブロック１１０２において、ｅＮＢなどのネットワークエンティティが、２次元アンテナアレイを、１次元垂直ＣＳＩ−ＲＳポートアレイと１次元水平ＣＳＩ−ＲＳポートアレイとにマッピングする。ブロック１１０４において、ｅＮＢは、アグリゲートされたアジマスＣＳＩフィードバックを受信する。アグリゲートされたアジマスＣＳＩフィードバックは、１次元垂直ＣＳＩ−ＲＳポートアレイと１次元水平ＣＳＩ−ＲＳポートアレイの両方に関連し得る。アグリゲートされたアジマスＣＳＩフィードバックは、さらに、アジマスＣＳＩフィードバックと基準広帯域垂直プリコーディングベクトルとに関連し得る。マッピングすることのためのＵＥ固有イントラサブアレイ重みベクトルおよび／またはＵＥ固有インターサブアレイ重みベクトルが、基準広帯域垂直プリコーディングベクトル基づいて生成され得る。したがって、データが、ＵＥ固有イントラサブアレイ重みベクトルに基づいてマッピングされた１次元水平ＣＳＩ−ＲＳポートアレイから送信され得る。対応して、ＵＥは、アグリゲートされたアジマスＣＳＩフィードバックをｅＮＢに送信し得る。ＵＥは、基準広帯域垂直プリコーディングベクトルに基づいて、アジマスＣＱＩを決定し得る。
【０１３０】
[0086]ブロック１１０６において、ｅＮＢは、アグリゲートされたエレベーションＣＳＩフィードバックを受信する。アグリゲートされたエレベーションＣＳＩフィードバックは、１次元垂直ＣＳＩ−ＲＳポートアレイと１次元水平ＣＳＩ−ＲＳポートアレイの両方に関連し得る。アグリゲートされたエレベーションＣＳＩフィードバックは、さらに、エレベーションＣＳＩフィードバックと基準広帯域水平プリコーディングベクトルとに関連し得る。マッピングすることのためのＵＥ固有イントラサブアレイ重みベクトルおよび／またはＵＥ固有インターサブアレイ重みベクトルが、基準広帯域水平プリコーディングベクトル基づいて生成され得る。したがって、データが、ＵＥ固有イントラサブアレイ重みベクトルに基づいてマッピングされた１次元垂直ＣＳＩ−ＲＳポートアレイから送信され得る。対応して、ＵＥは、アグリゲートされたエレベーションＣＳＩフィードバックをｅＮＢに送信し得る。ＵＥは、基準広帯域水平プリコーディングベクトルに基づいて、エレベーションＣＱＩを決定し得る。
【０１３１】
[0087]本開示のいくつかの態様では、ｅＮＢは、１次元垂直ＣＳＩ−ＲＳポートアレイ、１次元水平ＣＳＩ−ＲＳポートアレイ、またはその両方からデータを送信し得る。ｅＮＢは、１つまたは複数のＵＥからの受信されたＣＳＩに基づいて、１次元垂直ＣＳＩ−ＲＳポートアレイから、または１次元水平ＣＳＩ−ＲＳポートアレイからデータを送信することを決定するために、動的ポイント選択を適用し得る。
【０１３２】
[0088]図１２は、本開示の一態様による、通信ネットワークにおけるｅＮＢ１２００のブロック図である。ｅＮＢ１２００は、マッピングモジュール１２０６の実行のためのデータおよびプログラムコードを記憶し得るメモリ１２１４と、ＣＳＩフィードバック受信モジュール１２０８と、ＣＳＩ−ＲＳ送信モジュール１２１０と、動的ポイント選択モジュール１２１２とを含み得る。マッピングモジュール１２０６は、２Ｄアンテナアレイを、エレベーションＣＳＩフィードバックを受信するための１Ｄ垂直ＣＳＩ−ＲＳポートアレイ１２０２と、アジマスＣＳＩフィードバックを受信するための１Ｄ水平ＣＳＩ−ＲＳポートアレイ１２０４とにマッピングするために使用され得る。２Ｄアンテナアレイは、マッピングすることのために複数のサブアレイに分割され得る。マッピングモジュール１２０６は、複数のサブアレイの各々中でイントラサブアレイアンテナアグリゲーションを適用し得、また、複数のサブアレイの間でインターサブアレイアンテナアグリゲーションを適用し得る。ＣＳＩフィードバック受信モジュール１２０８は、１つまたは複数のＵＥから、独立したまたはアグリゲートされたエレベーションＣＳＩフィードバックおよびアジマスＣＳＩフィードバックを受信および処理するために使用され得る。エレベーションＣＳＩフィードバックは、エレベーションＰＭＩ、エレベーションＲＩ、エレベーションＣＱＩなどを含み得る。アジマスＣＳＩフィードバックは、アジマスＰＭＩ、アジマスＲＩ、アジマスＣＱＩなどを含み得る。エレベーションＣＳＩフィードバックおよびアジマスＣＳＩフィードバックは、ｅＮＢ１２００のＣＳＩフィードバック受信モジュール１２０８において、別々にまたは一緒に受信され得る。ＣＳＩ−ＲＳ送信モジュール１２１０は、１つまたは複数のＵＥに、１Ｄ垂直ＣＳＩ−ＲＳポートアレイ１２０２から１つまたは複数のエレベーションＣＳＩ−ＲＳを送信するために、および／または１Ｄ水平ＣＳＩ−ＲＳポートアレイ１２０４から１つまたは複数のアジマスＣＳＩ−ＲＳを送信するために使用され得る。動的ポイント選択モジュール１２１２は、受信された独立したまたはアグリゲートされたエレベーションＣＳＩフィードバックおよびアジマスＣＳＩフィードバック、たとえば、エレベーションＣＱＩおよびアジマスＣＱＩに基づいて、１Ｄ垂直ＣＳＩ−ＲＳポートアレイ１２０２または１ＤアジマスＣＳＩ−ＲＳポートアレイ１２０４からデータを送信することを決定するために使用され得る。
【０１３３】
[0089]ｅＮＢ１２００は、メモリ１２１４に記憶され、１Ｄ垂直ＣＳＩ−ＲＳポートアレイ１２０２、１Ｄ水平ＣＳＩ−ＲＳポートアレイ１２０４、および／またはｅＮＢ１２００の他の構成要素を制御するプログラムコードを実施または実行するためのプロセッサ１２１６をも含み得る。ｅＮＢ１２００におけるプロセッサ１２１６および／または他のプロセッサはまた、機能ブロックを実行するかまたはその実行を指示し得る。
【０１３４】
[0090]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３５】
[0091]図９〜図１２の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１３６】
[0092]さらに、本明細書の開示に関して説明した様々な例示的な論理ブロック、モジュール、回路、およびプロセスステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【０１３７】
[0093]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３８】
[0094]本明細書の開示に関して説明した方法またはプロセスのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１３９】
[0095]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読記憶媒体は、汎用または専用コンピュータによってアクセスされ得る任意の利用可能な媒体であり得る。限定ではなく例として、そのようなコンピュータ可読記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、非一時的接続は、コンピュータ可読媒体の定義内に適切に含まれ得る。たとえば、命令が、同軸ケーブル、光ファイバーケーブル、ツイストペア、またはデジタル加入者線（ＤＳＬ）を使用して、ウェブサイト、サーバ、または他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕｅ−ｒａｙディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１４０】
[0096]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１４１】
[0097]本開示についての以上の説明は、いかなる当業者も本開示を作成または使用することができるようにするために提供したものである。本開示への様々な変更は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
２次元アンテナアレイを複数のサブアレイに分割することと、ここにおいて、前記複数のサブアレイの各々が、同じ数のアンテナ要素を備える、
前記２次元アンテナアレイを、エレベーションＣＳＩフィードバックを受信するための１次元垂直チャネル状態情報基準信号（ＣＳＩ−ＲＳ）ポートアレイと、アジマスＣＳＩフィードバックを受信するための１次元水平ＣＳＩ−ＲＳポートアレイとにマッピングすることと、ここにおいて、前記マッピングすることが、前記複数のサブアレイの各々中でイントラサブアレイアンテナアグリゲーションを適用することと、前記複数のサブアレイの間でインターサブアレイアンテナアグリゲーションを適用することとを含む、
前記１次元垂直ＣＳＩ−ＲＳポートアレイから１つまたは複数のエレベーションＣＳＩ−ＲＳを送信し、前記１次元水平ＣＳＩ−ＲＳポートアレイから１つまたは複数のアジマスＣＳＩ−ＲＳを送信することとを備える、ワイヤレス通信のための方法。
［Ｃ２］
前記１次元垂直ＣＳＩ−ＲＳポートアレイが、ＭポートエレベーションＣＳＩフィードバックのためのＭポート交差偏波ＣＳＩ−ＲＳアレイを含み、前記１次元水平ＣＳＩ−ＲＳポートアレイが、ＮポートアジマスＣＳＩフィードバックのためのＮポート交差偏波ＣＳＩ−ＲＳアレイを含む、Ｃ１に記載の方法。
［Ｃ３］
Ｍが、前記２次元アンテナアレイの列数または前記列数のサブセットを表し、Ｎが、前記２次元アンテナアレイの行数または前記行数のサブセットを表す、Ｃ２に記載の方法。
［Ｃ４］
前記２次元アンテナアレイのアンテナ要素の前記サブセットのための、前記エレベーションＣＳＩフィードバックのＣＳＩポートの数、および前記アジマスＣＳＩフィードバックのＣＳＩポートの数が、ユーザ機器（ＵＥ）の能力に基づいて決定される、Ｃ３に記載の方法。
［Ｃ５］
前記イントラサブアレイアンテナアグリゲーションを前記適用することが、複数のアグリゲートされた垂直サブアレイを形成するために、前記複数のサブアレイの各々中の前記アンテナ要素のすべての行をアグリゲートすることと、複数のアグリゲートされた水平サブアレイを形成するために、前記複数のサブアレイの各々中の前記アンテナ要素のすべての列をアグリゲートすることとを含む、Ｃ１に記載の方法。
［Ｃ６］
前記インターサブアレイアンテナアグリゲーションを前記適用することが、前記１次元垂直ＣＳＩ−ＲＳポートアレイを形成するために、前記複数のアグリゲートされた垂直サブアレイをアグリゲートすることと、前記１次元水平ＣＳＩ−ＲＳポートアレイを形成するために、前記複数のアグリゲートされた水平サブアレイをアグリゲートすることとを含む、Ｃ５に記載の方法。
［Ｃ７］
前記イントラサブアレイアンテナアグリゲーションを前記適用することが、前記マッピングすることのためのイントラサブアレイアグリゲーション重みベクトルを利用することを含み、前記インターサブアレイアンテナアグリゲーションを前記適用することが、前記マッピングすることのためのインターサブアレイアグリゲーション重みベクトルを利用することを含む、Ｃ１に記載の方法。
［Ｃ８］
前記１次元垂直ＣＳＩ−ＲＳポートアレイに前記マッピングすることのための前記インターサブアレイアグリゲーション重みベクトルと、前記１次元水平ＣＳＩ−ＲＳポートアレイに前記マッピングすることのための前記インターサブアレイアグリゲーション重みベクトルとは、前記１次元垂直ＣＳＩ−ＲＳポートアレイのパターンと前記１次元水平ＣＳＩ−ＲＳポートアレイのパターンとが互いに相補的であるように選択される、Ｃ７に記載の方法。
［Ｃ９］
前記１次元垂直ＣＳＩ−ＲＳポートアレイと前記１次元水平ＣＳＩ−ＲＳポートアレイとに前記マッピングすることのための前記イントラサブアレイアグリゲーション重みベクトルおよび前記インターサブアレイアグリゲーション重みベクトルが、前記２次元アンテナアレイの列中の前記アンテナ要素の数、前記アンテナ要素間の間隔、ターゲットダウンチルト、およびエレベーション次元カバレージのうちの１つまたは複数に基づいて決定される、Ｃ７に記載の方法。
［Ｃ１０］
１次元垂直チャネル状態情報基準信号（ＣＳＩ−ＲＳ）ポートアレイのためのエレベーションチャネル状態情報（ＣＳＩ）フィードバックを受信することと、
１次元水平ＣＳＩ−ＲＳポートアレイのためのアジマスＣＳＩフィードバックを受信することと、
受信されたエレベーションＣＳＩフィードバックおよびアジマスＣＳＩフィードバックに基づいて、前記１次元垂直ＣＳＩ−ＲＳポートアレイから、または前記１次元水平ＣＳＩ−ＲＳポートアレイからデータを送信することを決定するために、動的ポイント選択を利用することとを備える、ワイヤレス通信のための方法。
［Ｃ１１］
前記エレベーションＣＳＩフィードバックが、エレベーションプリコーディングマトリックインジケータ（ＰＭＩ）、エレベーションランクインジケータ（ＲＩ）、およびエレベーションチャネル品質インジケータ（ＣＱＩ）のうちの１つまたは複数を含み、前記アジマスＣＳＩフィードバックが、アジマスプリコーディングマトリックインジケータ（ＰＭＩ）、アジマスランクインジケータ（ＲＩ）、およびアジマスチャネル品質インジケータ（ＣＱＩ）のうちの１つまたは複数を含む、Ｃ１０に記載の方法。
［Ｃ１２］
データ送信のために、２次元アンテナアレイを前記１次元垂直ＣＳＩ−ＲＳポートアレイにマッピングするためのイントラサブアレイ重みベクトルおよびインターサブアレイアグリゲーション重みベクトルと、受信されたエレベーションＰＭＩを組み合わせることと、前記２次元アンテナアレイを前記１次元水平ＣＳＩ−ＲＳポートアレイにマッピングするための前記イントラサブアレイ重みベクトルおよび前記インターサブアレイアグリゲーション重みベクトルと、受信されたアジマスＰＭＩを組み合わせることとをさらに含む、Ｃ１１に記載の方法。
［Ｃ１３］
前記利用することが、受信されたエレベーションＣＱＩおよびアジマスＣＱＩに基づく、Ｃ１１に記載の方法。
［Ｃ１４］
２次元アンテナアレイを、１次元垂直チャネル状態情報基準信号（ＣＳＩ−ＲＳ）ポートアレイと、１次元水平ＣＳＩ−ＲＳポートアレイとにマッピングすることと、
アグリゲートされたアジマスＣＳＩフィードバックを受信することと、ここにおいて、前記アグリゲートされたアジマスＣＳＩフィードバックが、前記１次元垂直ＣＳＩ−ＲＳポートアレイと前記１次元水平ＣＳＩ−ＲＳポートアレイの両方に関連する、を備える、ワイヤレス通信のための方法。
［Ｃ１５］
前記アグリゲートされたアジマスＣＳＩフィードバックが、アジマスプリコーディングマトリックインジケータ（ＰＭＩ）、アジマスランクインジケータ（ＲＩ）、アジマスチャネル品質インジケータ（ＣＱＩ）および基準広帯域垂直プリコーディングベクトルのうちの１つまたは複数を含む、Ｃ１４に記載の方法。
［Ｃ１６］
前記１次元垂直ＣＳＩ−ＲＳポートアレイの平均チャネル共分散マトリックに基づいて、前記基準広帯域垂直プリコーディングベクトルを決定することをさらに含む、Ｃ１５に記載の方法。
［Ｃ１７］
前記アグリゲートされたアジマスＣＳＩフィードバックが、前記基準広帯域垂直プリコーディングベクトルを使用してエレベーションビームフォーミング利得オフセットを加算することによって、前記１次元水平ＣＳＩ−ＲＳポートアレイから決定される、Ｃ１５に記載の方法。
［Ｃ１８］
前記アグリゲートされたアジマスＣＳＩフィードバックが、広帯域垂直ビームフォーミングとサブバンド水平ビームフォーミングとに関連する、Ｃ１４に記載の方法。
［Ｃ１９］
前記基準広帯域垂直プリコーディングベクトルに基づいて、前記マッピングすることのためのユーザ機器（ＵＥ）固有イントラサブアレイ重みベクトルとＵＥ固有インターサブアレイ重みベクトルとを生成することをさらに含む、Ｃ１４に記載の方法。
［Ｃ２０］
前記ＵＥ固有イントラサブアレイ重みベクトルと前記ＵＥ固有インターサブアレイ重みベクトルとに基づいてマッピングされた前記１次元水平ＣＳＩ−ＲＳポートアレイからデータを送信することをさらに含む、Ｃ１９に記載の方法。
［Ｃ２１］
アグリゲートされたエレベーションＣＳＩフィードバックを受信することと、ここにおいて、前記アグリゲートされたエレベーションＣＳＩフィードバックが、エレベーションＣＳＩフィードバックおよび基準広帯域水平プリコーディングベクトルのうちの１つまたは複数を含む、
前記基準広帯域水平プリコーディングベクトルに基づいて、前記マッピングすることのためのユーザ機器（ＵＥ）固有イントラサブアレイ重みベクトルを生成することと、
前記ＵＥ固有イントラサブアレイ重みベクトルに基づいてマッピングされた前記１次元垂直ＣＳＩ−ＲＳポートアレイからデータを送信することとをさらに含む、Ｃ１４に記載の方法。
［Ｃ２２］
前記アグリゲートされたエレベーションＣＳＩフィードバックと前記アグリゲートされたアジマスＣＳＩフィードバックの両方に基づいて、前記１次元垂直ＣＳＩ−ＲＳポートアレイから、または前記１次元水平ＣＳＩ−ＲＳポートアレイからデータを送信することを決定するために、動的ポイント選出を利用することをさらに含む、Ｃ２１に記載の方法。
［Ｃ２３］
２次元アンテナアレイを複数のサブアレイに分割するための手段と、ここにおいて、前記複数のサブアレイの各々が、同じ数のアンテナ要素を備える、
前記２次元アンテナアレイを、エレベーションＣＳＩフィードバックを受信するための１次元垂直チャネル状態情報基準信号（ＣＳＩ−ＲＳ）ポートアレイと、アジマスＣＳＩフィードバックを受信するための１次元水平ＣＳＩ−ＲＳポートアレイとにマッピングするための手段と、ここにおいて、マッピングするための前記手段が、前記複数のサブアレイの各々中でイントラサブアレイアンテナアグリゲーションを適用するための手段と、前記複数のサブアレイの間でインターサブアレイアンテナアグリゲーションを適用するための手段とを含む、
前記１次元垂直ＣＳＩ−ＲＳポートアレイから１つまたは複数のエレベーションＣＳＩ−ＲＳを送信し、前記１次元水平ＣＳＩ−ＲＳポートアレイから１つまたは複数のアジマスＣＳＩ−ＲＳを送信するための手段とを備える、ワイヤレス通信のための装置。
［Ｃ２４］
前記１次元垂直ＣＳＩ−ＲＳポートアレイが、ＭポートエレベーションＣＳＩフィードバックのためのＭポート交差偏波ＣＳＩ−ＲＳアレイを含み、ここにおいて、前記１次元水平ＣＳＩ−ＲＳポートアレイが、ＮポートアジマスＣＳＩフィードバックのためのＮポート交差偏波ＣＳＩ−ＲＳアレイを含み、ここにおいて、Ｍが、前記２次元アンテナアレイの列数または前記列数のサブセットを表し、Ｎが、前記２次元アンテナアレイの行数または前記行数のサブセットを表す、Ｃ２３に記載の装置。
［Ｃ２５］
前記２次元アンテナアレイのアンテナ要素の前記サブセットのための、前記エレベーションＣＳＩフィードバックのＣＳＩポートの数、および前記アジマスＣＳＩフィードバックのＣＳＩポートの数が、ユーザ機器（ＵＥ）の能力に基づいて決定される、Ｃ２４に記載の装置。
［Ｃ２６］
前記イントラサブアレイアンテナアグリゲーションを適用するための前記手段が、複数のアグリゲートされた垂直サブアレイを形成するために、前記複数のサブアレイの各々中の前記アンテナ要素のすべての行をアグリゲートするための手段と、複数のアグリゲートされた水平サブアレイを形成するために、前記複数のサブアレイの各々中の前記アンテナ要素のすべての列をアグリゲートするための手段とを含む、Ｃ２３に記載の装置。
［Ｃ２７］
前記インターサブアレイアンテナアグリゲーションを適用するための前記手段が、前記１次元垂直ＣＳＩ−ＲＳポートアレイを形成するために、前記複数のアグリゲートされた垂直サブアレイをアグリゲートするための手段と、前記１次元水平ＣＳＩ−ＲＳポートアレイを形成するために、前記複数のアグリゲートされた水平サブアレイをアグリゲートするための手段とを含む、Ｃ２６に記載の装置。
［Ｃ２８］
前記イントラサブアレイアンテナアグリゲーションを適用するための前記手段が、前記マッピングすることのためのイントラサブアレイアグリゲーション重みベクトルを利用するための手段を含み、前記インターサブアレイアンテナアグリゲーションを適用するための前記手段が、前記マッピングすることのためのインターサブアレイアグリゲーション重みベクトルを利用するための手段を含む、Ｃ２３に記載の装置。
［Ｃ２９］
前記１次元垂直ＣＳＩ−ＲＳポートアレイにマッピングするための前記手段のための前記インターサブアレイアグリゲーション重みベクトルと、前記１次元水平ＣＳＩ−ＲＳポートアレイにマッピングするための前記手段のための前記インターサブアレイアグリゲーション重みベクトルとは、前記１次元垂直ＣＳＩ−ＲＳポートアレイのパターンと前記１次元水平ＣＳＩ−ＲＳポートアレイのパターンとが互いに相補的であるように選択される、Ｃ２８に記載の装置。
［Ｃ３０］
前記１次元垂直ＣＳＩ−ＲＳポートアレイと前記１次元水平ＣＳＩ−ＲＳポートアレイとにマッピングするための前記手段のための前記イントラサブアレイアグリゲーション重みベクトルおよび前記インターサブアレイアグリゲーション重みベクトルが、前記２次元アンテナアレイの列中の前記アンテナ要素の数、前記アンテナ要素間の間隔、ターゲットダウンチルト、およびエレベーション次元カバレージのうちの１つまたは複数に基づいて決定される、Ｃ２８に記載の装置。
【図１】
0006786479.tif 000032
【図２】
0006786479.tif 000033
【図３】
0006786479.tif 000034
【図４Ａ】
0006786479.tif 000035
【図４Ｂ】
0006786479.tif 000036
【図５Ａ】
0006786479.tif 000037
【図５Ｂ】
0006786479.tif 000038
【図５Ｃ】
0006786479.tif 000039
【図６Ａ】
0006786479.tif 000040
【図６Ｂ】
0006786479.tif 000041
【図６Ｃ】
0006786479.tif 000042
【図７】
0006786479.tif 000043
【図８】
0006786479.tif 000044
【図９】
0006786479.tif 000045
【図１０】
0006786479.tif 000046
【図１１】
0006786479.tif 000047
【図１２】
0006786479.tif 000048